(57)【要約】【課題】感染拡大を可視化することを課題とする。【解決手段】情報処理装置は、人の感染情報と人の部屋間の移動情報とに基づいて、部屋間の感染に関する関係性の強さを特定する。情報処理装置は、人の感染情報と人の部屋間の移動情報とに基づいて、部屋間の感染の方向を特定する。そして、情報処理装置は、感染方向表示プログラムは、特定された部屋間の感染に関する関係性の強さを示す情報と、特定された部屋間の感染の方向を示す情報とを対応付けて、各部屋の位置を示すマップ上に表示する。【選択図】図１
2018169938.tif 000002
【特許請求の範囲】
【請求項１】
人の感染情報と人の部屋間の移動情報とに基づいて、部屋間の感染に関する関係性の強さと、部屋間の感染の方向とを特定し、
特定された前記部屋間の感染に関する関係性の強さを示す情報と、特定された前記部屋間の感染の方向を示す情報とを対応付けて、各部屋の位置を示すマップ上に表示する、
処理をコンピュータに実行させることを特徴とする感染方向表示プログラム。
【請求項２】
人の感染情報と人の部屋間の移動情報とに基づいて、部屋毎に感染リスクを算出し、
部屋毎の感染リスクの大きさを示す情報を、前記マップ上の各部屋の位置に対応する部分に表示する、
ことを特徴とする請求項１に記載の感染方向表示プログラム。
【請求項３】
前記部屋間の感染の方向と他の部屋間の感染の方向とに基づいて、感染が進む方向を特定し、
特定された前記感染が進む方向を、前記マップ上に表示する、
ことを特徴とする請求項１に記載の感染方向表示プログラム。
【請求項４】
人の感染情報と人の部屋間の移動情報とに基づいて、部屋間の感染に関する関係性の強さと、部屋間の感染の方向とを特定し、
特定された前記部屋間の感染に関する関係性の強さを示す情報と、特定された前記部屋間の感染の方向を示す情報とを対応付けて、各部屋の位置を示すマップ上に表示する、
処理をコンピュータが実行することを特徴とする感染方向表示方法。
【請求項５】
人の感染情報と人の部屋間の移動情報とに基づいて、部屋間の感染に関する関係性の強さと、部屋間の感染の方向とを特定する特定部と、
特定された前記部屋間の感染に関する関係性の強さを示す情報と、特定された前記部屋間の感染の方向を示す情報とを対応付けて、各部屋の位置を示すマップ上に表示する表示制御部と、
を有することを特徴とする感染方向表示装置。
【発明の詳細な説明】
【技術分野】
【０００１】
本発明は、感染方向表示プログラム、感染方向表示方法および感染方向表示装置に関する。
【背景技術】
【０００２】
従来から、インフルエンザやノロウィルスなどの感染症が病院などで拡大する事象が発生している。病院などの院内感染の経路には、主に、接触感染、空気感染、飛沫感染などがあり、対策が遅れると、院内全体に感染が広がる。近年では、どの部屋で、どの患者が感染したのかを特定して可視化することで、感染の拡大を抑制する技術が知られている。
【先行技術文献】
【特許文献】
【０００３】
【特許文献１】特表２０１２−５１１１９３号公報
【特許文献２】特開２００９−１４０１４８号公報
【特許文献３】国際公開第２０１６／１８１４９０号
【発明の概要】
【発明が解決しようとする課題】
【０００４】
しかしながら、上記技術では、患者が感染したことはわかるが、どのように感染が拡大しているかなどを視覚的に確認することができず、感染拡大の把握が難しい。
【０００５】
一つの側面では、感染拡大を可視化することができる感染方向表示プログラム、感染方向表示方法および感染方向表示装置を提供することを目的とする。
【課題を解決するための手段】
【０００６】
第１の案では、感染方向表示プログラムは、人の感染情報と人の部屋間の移動情報とに基づいて、部屋間の感染に関する関係性の強さと、部屋間の感染の方向とを特定する処理をコンピュータに実行させる。感染方向表示プログラムは、特定された前記部屋間の感染に関する関係性の強さを示す情報と、特定された前記部屋間の感染の方向を示す情報とを対応付けて、各部屋の位置を示すマップ上に表示する処理をコンピュータに実行させる。
【発明の効果】
【０００７】
一実施形態によれば、感染拡大を可視化することができる。
【図面の簡単な説明】
【０００８】
【図１】図１は、実施例１にかかる情報処理装置の機能構成を示す機能ブロック図である。
【図２】図２は、フロア情報ＤＢに記憶されるフロア情報の例を示す図である。
【図３】図３は、部屋情報ＤＢに記憶される部屋情報の例を示す図である。
【図４】図４は、院内感染情報ＤＢに記憶される院内感染情報の例を示す図である。
【図５】図５は、移動情報ＤＢに記憶される移動情報の例を示す図である。
【図６】図６は、部屋感染リスクＤＢに記憶される感染リスク情報の例を示す図である。
【図７】図７は、部屋間感染リスクＤＢに記憶される感染リスク情報の例を示す図である。
【図８】図８は、３次元マップの一例を示す図である。
【図９】図９は、処理の流れを示すフローチャートである。
【図１０】図１０は、ハードウェア構成例を示す図である。
【発明を実施するための形態】
【０００９】
以下に、本願の開示する感染方向表示プログラム、感染方向表示方法および感染方向表示装置の実施例を図面に基づいて詳細に説明する。なお、この実施例によりこの発明が限定されるものではない。また、各実施例は、矛盾のない範囲内で適宜組み合わせることができる。
【実施例１】
【００１０】
実施例１にかかる情報処理装置１０は、病院内において接触感染、空気感染、飛沫感染などの院内感染経路を可視化するコンピュータの一例であり、院内に設置されていてもよく、クラウド上に設置されていてもよい。また、情報処理装置１０は、院内の各部屋、部屋の繋がりを３次元マップとして表現して、今後どの部屋に感染が広がっていくのかを予測することにより、感染拡大を可視化することができる。
【００１１】
［機能構成］
図１は、実施例１にかかる情報処理装置１０の機能構成を示す機能ブロック図である。図１に示すように、情報処理装置１０は、通信部１１、表示部１２、記憶部１３、制御部２０を有する。
【００１２】
通信部１１は、他の装置の通信を制御する処理部であり、例えば通信インタフェースなどである。例えば、通信部１１は、管理者端末から、院内感染情報のマップ化の指示などを受信し、生成した３次元マップを指定された端末に送信する。
【００１３】
表示部１２は、各種情報を表示する処理部であり、例えばディスプレイやタッチパネルなどである。例えば、表示部１２は、制御部２０によって生成された３次元マップを表示する。
【００１４】
記憶部１３は、プログラムやデータなどを記憶する記憶装置の一例であり、例えばメモリやハードディスクなどである。記憶部１３は、フロア情報ＤＢ１４、部屋情報ＤＢ１５、院内感染情報ＤＢ１６、移動情報ＤＢ１７、部屋感染リスクＤＢ１８、部屋間感染リスクＤＢ１９を記憶する。
【００１５】
フロア情報ＤＢ１４は、病院のフロアに関する情報を記憶するデータベースである。図２は、フロア情報ＤＢ１４に記憶されるフロア情報の例を示す図である。図２に示すように、フロア情報ＤＢ１４は、「フロア、座標」を記憶する。ここで記憶される「フロア」は、院内のフロアを特定する情報である。「座標」は、フロアの領域を特定する情報であり、例えばフロアの４隅の座標である。図２の例では、１階のフロアは、（０，０，０）−（０，１００，０，０）−（０，１００，１００，０）−（０，０，１００，０）で囲まれる領域であることを示す。なお、ここで記憶される情報は、管理者等によって設定される。
【００１６】
部屋情報ＤＢ１５は、院内の各部屋に関する情報を記憶するデータベースである。図３は、部屋情報ＤＢ１５に記憶される部屋情報の例を示す図である。図３に示すように、部屋情報ＤＢ１５は、「部屋ＩＤ、中心座標」を記憶する。ここで記憶される「部屋ＩＤ」は、部屋を識別する識別子であり、「中心座標」は、部屋の中心の座標である。図３の場合、部屋１−１の中心座標は、（２０，２０，０）であることを示す。なお、ここで記憶される情報は、管理者等によって設定される。
【００１７】
院内感染情報ＤＢ１６は、病院内の感染情報を記憶するデータベースである。図４は、院内感染情報ＤＢ１６に記憶される院内感染情報の例を示す図である。図４に示すように、院内感染情報ＤＢ１６は、「部屋ＩＤ、担当医師、担当看護師、患者数、感染者数、予防接種者数」を記憶する。
【００１８】
ここで記憶される「部屋ＩＤ」は、部屋を識別する識別子である。「担当医師」は、当該部屋を担当する医師を特定する情報であり、「担当看護師」は、当該部屋を担当する看護師を特定する情報である。「患者数」は、当該部屋に入院している患者の数であり、「感染者数」は、患者数のうち感染症への感染が確認できた人数であり、「予防接種者数」は、患者数のうち感染症の予防接種を受けた人数である。なお、各部屋について、患者を特定する患者ＩＤなどを対応付けることもできる。
【００１９】
図４の例では、部屋１−１は、医師Ａおよび看護師Ｅが担当する部屋であり、５人が入院しており、３人が予防接種を受けており、２人が感染していることを示す。また、図４によって、部屋１−１と部屋２−１は、ともに医師Ａが担当していることがわかり、部屋１−１と部屋１−３は、医師は異なるが担当看護師が同じであることがわかる。なお、ここで記憶される情報は、管理者等によって設定および更新される。
【００２０】
移動情報ＤＢ１７は、患者の部屋間の移動情報を記憶するデータベースである。図５は、移動情報ＤＢ１７に記憶される移動情報の例を示す図である。図５に示すように、移動情報ＤＢ１７は、「移動元部屋ＩＤ、移動先部屋ＩＤ、患者」を記憶する。ここで記憶される「移動元部屋ＩＤ」は、患者の移動元の部屋を特定する識別子であり、「移動先部屋ＩＤ」は、患者の移動先の部屋を特定する識別子であり、「患者」は、移動した感染者を特定する情報である。
【００２１】
図５の一行目は、患者Ｈが部屋１−１から部屋１−２へ移動したことを示す。なお、移動とは、入院部屋の移動の他に、検査などによる一時的な移動を含む。また、移動情報で対象とする患者は、一般の入院患者を対象とすることもでき、入院患者のうち感染が確定した感染者を対象とすることもできる。また、患者に限らず、担当医師や担当看護師の交代や移動を管理対象として計数することもできる。また、移動情報ＤＢ１７は、移動日時をさらに対応付けることもできる。
【００２２】
部屋感染リスクＤＢ１８は、各部屋の感染リスクに関する情報を記憶するデータベースである。図６は、部屋感染リスクＤＢ１８に記憶される感染リスク情報の例を示す図である。図６に示すように、部屋感染リスクＤＢ１８は、「部屋ＩＤ、リスク」を記憶する。ここで記憶される「部屋ＩＤ」は、部屋を特定する識別子である。「リスク」は、感染リスクを示し、例えば５段階で設定される。図６の例では、部屋１−１のリスクが５で最も感染リスクが高いことがわかる。
【００２３】
部屋間感染リスクＤＢ１９は、部屋間の感染に関する関係性を記憶するデータベースである。図７は、部屋間感染リスクＤＢ１９に記憶される感染リスク情報の例を示す図である。図７に示すように、部屋間感染リスクＤＢ１９は、「部屋ＩＤ１、部屋ＩＤ２、関係」を記憶する。ここで記憶される「部屋ＩＤ１」および「部屋ＩＤ２」は、部屋を特定する識別子である。「関係」は、部屋間の感染リスクを示す情報であり、例えば５段階で設定される。図７の例では、部屋１−１と部屋１−１の感染リスクが３であることがわかる。
【００２４】
制御部２０は、情報処理装置１０全体を司る処理部であり、例えばプロセッサなどである。制御部２０は、感染情報管理部２１、部屋リスク生成部２２、部屋間リスク生成部２３、マップ生成部２４、マップ表示部２５を有する。なお、感染情報管理部２１、部屋リスク生成部２２、部屋間リスク生成部２３、マップ生成部２４、マップ表示部２５は、プロセッサなどの電子回路の一例やプロセッサが実行するプロセスの一例である。
【００２５】
感染情報管理部２１は、感染者に関する情報を受け付ける処理部である。例えば、感染情報管理部２１は、管理者端末等を介して、院内の各部屋の担当医師、担当看護師、患者数、感染者数、予防接種者数などを受け付けて、院内感染情報ＤＢ１６に格納する。また、感染情報管理部２１は、患者の移動情報を受け付けて、移動情報ＤＢ１７に格納する。
【００２６】
部屋リスク生成部２２は、各部屋の感染リスクを生成する処理部である。具体的には、部屋リスク生成部２２は、各部屋の感染者数によって感染リスクを算出し、人の感染情報と人の部屋間の移動情報とに基づいて部屋毎に感染リスクを算出して、部屋感染リスクＤＢ１８に感染リスクを格納する。
【００２７】
例えば、部屋リスク生成部２２は、図４の院内感染情報ＤＢ１６を参照して、部屋ごとに、患者数における感染者数の割合を算出する。そして、部屋リスク生成部２２は、１００％から７０％の範囲内は感染リスクを５、６９％から６０％の範囲内は感染リスクを４、５９％から５０％の範囲内は感染リスクを３、４９％から３０％の範囲内は感染リスクを２、２９％以下は感染リスクを１と設定することができる。
【００２８】
さらに、部屋リスク生成部２２は、各種情報を用いて、上記感染リスクを増減させることもできる。例えば、部屋リスク生成部２２は、患者数における予防接種数の割合が５０％以上の場合は、上記感染リスクを１減少させ、当該割合が５０％未満の場合は、上記感染リスクを１増加させることもできる。
【００２９】
別例としては、部屋リスク生成部２２は、移動情報ＤＢ１７を参照して、患者が出て行った部屋の感染リスクを１減少させ、患者が入ってきた部屋の感染リスクを１増加させることもできる。
【００３０】
部屋間リスク生成部２３は、部屋間の感染に関する関係性の強さを算出する処理部である。具体的には、部屋間リスク生成部２３は、人の感染情報と人の部屋間の移動情報とに基づいて、部屋間の感染に関する関係性の強さを算出して、部屋間感染リスクＤＢ１９に格納する。
【００３１】
例えば、部屋間リスク生成部２３は、まず図７に示すように、各部屋の組合せを生成して、各組み合わせに対応する関係に初期値０を設定する。次に、部屋間リスク生成部２３は、院内感染情報ＤＢ１６を参照して、担当医師が同じ部屋の関係を１増加させる。さらに、部屋間リスク生成部２３は、担当看護師が同じ部屋の関係を１増加させる。
【００３２】
また、部屋間リスク生成部２３は、移動情報ＤＢ１７を参照して、移動人数に応じて関係を増減させることもできる。例えば、部屋間リスク生成部２３は、部屋１−１から部屋１−２へ患者が２名移動した場合、部屋１−１と部屋１−２の関係を２増加させる。
【００３３】
マップ生成部２４は、感染情報を用いて、院内の３次元マップを生成する処理部である。例えば、マップ生成部２４は、フロア情報ＤＢ１４を参照して各フロアを３次元空間にプロットし、さらに、部屋情報ＤＢ１５を参照して、プロットした各フロア上に各部屋をノードとしてプロットする。そして、マップ生成部２４は、部屋感染リスクＤＢ１８を参照して、各部屋のリスクに応じて、各部屋に対応するノードの大きさを変更する。すなわち、マップ生成部２４は、リスク１、２、３、４、５の順で大きくなるように、各部屋の大きさを設定する。
【００３４】
さらに、マップ生成部２４は、プロットされた各ノードを線（エッジ）で結び、部屋間感染リスクＤＢ１９に記憶される関係に基づいて、線の太さを変更する。例えば、マップ生成部２４は、感染の値が１、２、３、４、５の順で線が太くなるように、各線の大きさを設定する。なお、マップ生成部２４は、閾値（例えば２）以上のリスクを有する部屋だけをノードとして描画したり、部屋間の関係が閾値（例えば２）以上の関係性を部屋間だけのエッジを描画したりすることもできる。
【００３５】
さらに、マップ生成部２４は、移動情報や感染時期などを用いて、感染の広がり方向を特定し、その方向をマップに図示する。例えば、マップ生成部２４は、移動情報ＤＢ１７を参照して、部屋１−１から部屋１−２へ患者が移動している場合には、３次元マップ上で部屋１−１から部屋１−２へ矢印を図示する。また、マップ生成部２４は、各部屋の感染者の最新日時を用いて、最古の感染者がいる部屋から最新の感染者がいる部屋の方向に矢印を図示したり、各部屋の感染者の最新日時を古い順に結ぶことで、感染の広がり方向を特定して図示したりする。別例としては、マップ生成部２４は、エッジで結ばれた各部屋について、感染リスクの大きい方が小さい方へ線を図示することもできる。
【００３６】
マップ表示部２５は、マップ生成部２４によって生成された３次元マップを、ディスプレイ等に表示する処理部である。また、マップ表示部２５は、ユーザの操作に応じて、生成されたマップの回転、拡大、縮小などを実行する。また、マップ表示部２５は、３次元マップ上の部屋の位置やエッジが選択されると、部屋感染リスクＤＢ１８や部屋間感染リスクＤＢ１９などの詳細情報を表示することもできる。
【００３７】
図８は、３次元マップの一例を示す図である。図８では、感染リスクが１または２である部屋の図示を抑制し、感染リスクが３以上の部屋のみを図示するものとする。図８に示すように、対象の病院は１Ｆから５Ｆの５階建てのフロアを有し、感染リスクが３以上の部屋が５−１、４−１、４−２、４−３、３−２、３−３、２−３の７部屋である。また、部屋４−２の感染リスクが最も大きく、部屋５−１および部屋３−３の感染リスクが次に大きく、部屋４−１と４−３と３−２と２−３の感染リスクが次に大きいことを示す。また、感染者の感染時期について、部屋５−１が最も古く、部屋２−３が最も新しいことから、部屋５−１から部屋２−３の方向に向かって、感染方向を示す矢印が図示される。また、部屋間は、関係が大きいほど、太い線で接続される。このような３次元マップによって、感染者の位置や感染方向を視覚で確認することができる。なお、感染方向は、矢印に限らず、東西南北やフロア情報など方向を特定できる情報であれば、様々な表示手法を採用することができる。
【００３８】
［処理の流れ］
図９は、処理の流れを示すフローチャートである。図９に示すように、処理が開始されると（Ｓ１０１：Ｙｅｓ）、部屋リスク生成部２２は、院内感染情報ＤＢ１６の院内感染情報を読み込み（Ｓ１０２）、部屋ごとの感染リスクを算出する（Ｓ１０３）。続いて、部屋間リスク生成部２３は、部屋間ごとの感染リスクを算出する（Ｓ１０４）。
【００３９】
その後、マップ生成部２４は、フロア情報ＤＢ１４からフロアの領域の座標を読み込み、３次元空間に表示する（Ｓ１０５）。続いて、マップ生成部２４は、部屋情報ＤＢ１５から各部屋の中心座標を読み込み、ノードとして３次元空間に表示する（Ｓ１０６）。
【００４０】
そして、マップ生成部２４は、部屋感染リスクＤＢ１８から各部屋のリスク（感染リスク）を読み込み、ノードの大きさに反映する（Ｓ１０７）。さらに、マップ生成部２４は、部屋間感染リスクＤＢ１９から各部屋間のリスク（関係）を読み込み、閾値を超える場合は、部屋間のエッジを描画し、リスクの大きさをエッジの太さに反映する（Ｓ１０８）。
【００４１】
［効果］
上述したように、情報処理装置１０は、部屋をノード、部屋同士の関係をエッジとする３次元マップを生成する。ノードの大きさは、部屋のリスクの大きさ、エッジの太さは部屋同士の強さを反映する。またノードの位置は、部屋の物理的な位置関係を反映したものとする。なお、情報処理装置１０は、同じフロアにある部屋がわかるようにレイヤ―オブジェクトを表示することもできる。
【００４２】
また、情報処理装置１０は、マップを様々な角度に回転し、参照することで、どの方向に感染が広がっているのかを視覚的に表示することができる。また、情報処理装置１０は、感染が最も広がっている方向を検出し、その方向と垂直に視点を自動的に回転させることで、感染の広がりを視覚的に表示することができる。
【実施例２】
【００４３】
さて、これまで本発明の実施例について説明したが、本発明は上述した実施例以外にも、種々の異なる形態にて実施されてよいものである。そこで、以下に異なる実施例を説明する。
【００４４】
［感染方向の算出］
例えば、情報処理装置１０は、部屋間の感染の方向と他の部屋間の感染の方向とに基づいて、感染が進む方向を特定し、特定された感染が進む方向をマップ上に表示することもできる。例えば、情報処理装置１０は、部屋間について感染時期に基づいた感染方向（矢印）を図示した後、院内全体について矢印の向きの数に基づいて、感染が進む方向を特定することもできる。また、情報処理装置１０は、矢印の向きの数に限らず、最も古い感染者の部屋を基準として、エッジの本数が多い方向を感染が進む方向を特定することもできる。
【００４５】
例えば、情報処理装置１０は、矢印が最も多く向いている方向を感染方向と特定してマップ上に表示することができる。また、情報処理装置１０は、矢印が向いている数に応じて、複数の感染方向を特定し、矢印の数を感染方向の危険度として特定することもできる。また、情報処理装置１０は、フロアごとに、感染方向を特定してマップ上に表示することもできる。
【００４６】
また、情報処理装置１０は、部屋Ａと部屋Ｂに感染者がいる場合、感染時期が古い方から新しい方へエッジの向きを引くこともでき、夫々の感染者数が複数いる場合は、最も古い感染時期同士あるいは平均の感染時期で比較してエッジの向きを特定することもできる。情報処理装置１０は、部屋Ａから部屋Ｂに人（医師、看護師、患者など）が移動した場合、部屋Ａから部屋Ｂへの向きへエッジを引くこともできる。
【００４７】
また、情報処理装置１０は、移動が複数ある場合は、各移動にスコアを加算し、最終的にスコアの大きい方向にエッジの向きを引くことができる。なお、移動は、医師、看護師、患者などの移動を含むこともでき、感染患者の移動の場合は、スコア（リスク、関係）を大きくなるように制御することもできる。
【００４８】
また、情報処理装置１０は、ベクトルを３点ピックアップすることで３次元空間上の平面特定することができる。例えば、情報処理装置１０は、３つのエッジベクトルの全組み合わせについて、３つのベクトルから構成される平面を求め、３つのベクトル以外の全てのベクトルについて夫々の平面上への内積の合計を求める。そして、情報処理装置１０は、合計が高い平面ほど、感染の広がりが大きいと判断して、合計値のランキング順に複数の視点の候補をユーザに提示することもできる。
【００４９】
［システム］
記文書中や図面中で示した処理手順、制御手順、具体的名称、各種のデータやパラメータを含む情報については、特記する場合を除いて任意に変更することができる。
【００５０】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５１】
［ハードウェア構成］
図１０は、ハードウェア構成例を示す図である。図１０に示すように、情報処理装置１０は、通信インタフェース１０ａ、表示装置１０ｂ、ＨＤＤ（Hard  Disk  Drive）１０ｃ、メモリ１０ｄ、プロセッサ１０ｅを有する。
【００５２】
通信インタフェース１０ａは、他の装置の通信を制御するネットワークインタフェースカードなどである。表示装置１０ｂは、タッチパネルやディスプレイなどである。ＨＤＤ１０ｃは、プログラムやデータなどを記憶する記憶装置の一例である。
【００５３】
メモリ１０ｄの一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。プロセッサ１０ｅの一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００５４】
また、情報処理装置１０は、プログラムを読み出して実行することでデータ管理方法を実行する情報処理装置として動作する。つまり、情報処理装置１０は、感染情報管理部２１、部屋リスク生成部２２、部屋間リスク生成部２３、マップ生成部２４、マップ表示部２５と同様の機能を実行するプログラムを実行する。この結果、情報処理装置１０は、感染情報管理部２１、部屋リスク生成部２２、部屋間リスク生成部２３、マップ生成部２４、マップ表示部２５と同様の機能を実行するプロセスを実行することができる。なお、この他の実施例でいうプログラムは、情報処理装置１０によって実行されることに限定されるものではない。例えば、他のコンピュータまたはサーバがプログラムを実行する場合や、これらが協働してプログラムを実行するような場合にも、本発明を同様に適用することができる。
【００５５】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００５６】
１０  情報処理装置
１１  通信部
１２  表示部
１３  記憶部
１４  フロア情報ＤＢ
１５  部屋情報ＤＢ
１６  院内感染情報ＤＢ
１７  移動情報ＤＢ
１８  部屋感染リスクＤＢ
１９  部屋間感染リスクＤＢ
２０  制御部
２１  感染情報管理部
２２  部屋リスク生成部
２３  部屋間リスク生成部
２４  マップ生成部
２５  マップ表示部
【図１】
2018169938.tif 000003
【図２】
2018169938.tif 000004
【図３】
2018169938.tif 000005
【図４】
2018169938.tif 000006
【図５】
2018169938.tif 000007
【図６】
2018169938.tif 000008
【図７】
2018169938.tif 000009
【図８】
2018169938.tif 000010
【図９】
2018169938.tif 000011
【図１０】
2018169938.tif 000012